(57)【要約】【課題】文字入力が不慣れなユーザであっても文字情報入りのプロファイルの作成を容易に行うことが可能なプロファイル作成システムを提供することを目的とする。【解決手段】複数の撮影要求項目を記憶する撮影要求項目記憶部８と、撮影要求項目記憶部８に記憶される複数の撮影要求項目を順次端末装置２へ送信すると共に、撮影要求項目を見たユーザにより撮影された画像を端末装置２から受信する送受信部９と、送受信部９により受信される画像を解析し、その解析結果である文字情報を出力する画像解析部１０と、画像解析部１０から出力される文字情報に基づいて、ユーザのプロファイルを作成するプロファイル作成部１１とを備えてサーバ３を構成する。【選択図】図１
2008257361.tif 000002
【特許請求の範囲】
【請求項１】
端末装置とサーバとがネットワークを介して互いに情報を送受信するプロファイル作成システムであって、
前記端末装置は、
前記サーバから送信される撮影要求項目を受信する第１の受信手段と、
前記第１の受信手段により受信される撮影要求項目を表示する表示手段と、
前記表示手段に表示される撮影要求項目を見たユーザの操作により撮影を行う撮像手段と、
前記撮像手段により撮影される画像を記憶する画像記憶手段と、
前記画像記憶手段に記憶される画像を前記サーバへ送信する第１の送信手段と、
を備え、
前記サーバは、
前記撮影要求項目を記憶する撮影要求項目記憶手段と、
前記撮影要求項目記憶手段に記憶される撮影要求項目を前記端末装置へ送信する第２の送信手段と、
前記端末装置から送信される画像を受信する第２の受信手段と、
前記第２の受信手段により受信される画像を解析し、その解析結果である文字情報を出力する画像解析手段と、
前記画像解析手段から出力される文字情報に基づいて、前記ユーザのプロファイルを作成するプロファイル作成手段と、
を備えることを特徴とするプロファイル作成システム。
【請求項２】
請求項１に記載のプロファイル作成システムであって、
前記サーバは、前記撮影要求項目に関連する複数種類の画像とそれら画像をそれぞれ説明する各文字情報が記録されるデータベースを備え、
前記画像解析手段は、前記第２の受信手段により受信される画像に類似する画像を前記データベースに記録される各画像から選択し、その選択した画像を説明する文字情報を出力する、
ことを特徴とするプロファイル作成システム。
【請求項３】
請求項１に記載のプロファイル作成システムであって、
前記サーバは、前記ユーザの行動を示すスケジュールに基づいて前記撮影要求項目を作成する、
ことを特徴とするプロファイル作成システム。
【請求項４】
請求項１に記載のプロファイル作成システムであって、
前記撮影要求項目は、前記ユーザの性別を識別するための画像を前記ユーザに撮影させる要求を示す、
ことを特徴とするプロファイル作成システム。
【請求項５】
請求項１に記載のプロファイル作成システムであって、
前記撮影要求項目は、前記ユーザの好きなスポーツを識別するための画像を前記ユーザに撮影させる要求を示す、
ことを特徴とするプロファイル作成システム。
【請求項６】
端末装置とネットワークを介して情報を送受信するサーバであって、
撮影要求項目を記憶する撮影要求項目記憶手段と、
前記撮影要求項目記憶手段に記憶される撮影要求項目を前記端末装置へ送信する送信手段と、
前記撮影要求項目を見たユーザにより撮影された画像を前記端末装置から受信する受信手段と、
前記受信手段により受信される画像を解析し、その解析結果である文字情報を出力する画像解析手段と、
前記画像解析手段から出力される文字情報に基づいて、前記ユーザのプロファイルを作成するプロファイル作成手段と、
を備えることを特徴とするサーバ。
【請求項７】
端末装置を利用するユーザのプロファイルを作成するためにコンピュータを、
撮影要求項目を記憶する撮影要求項目記憶手段、
前記撮影要求項目記憶手段により記憶される撮影要求項目を前記端末装置へ送信する送信手段、
前記撮影要求項目を見たユーザにより撮影された画像を前記端末装置から受信する受信手段、
前記受信手段により受信される画像を解析し、その解析結果である文字情報を出力する画像解析手段、
前記画像解析手段から出力される文字情報に基づいて、前記ユーザのプロファイルを作成するプロファイル作成手段、
として機能させるためのプログラム。
【発明の詳細な説明】
【技術分野】
【０００１】
本発明は、ネットワークを介して互いに情報が送受信される端末装置及びサーバを備え、端末装置を利用するユーザのプロファイルを作成するプロファイル作成システムに関する。
【背景技術】
【０００２】
従来、プロファイルを作成する場合は、ユーザがパーソナルコンピュータなどの端末装置において所定の項目に対して文字を入力することによりプロファイルを作成している。
ところで、カメラ付きの携帯電話でユーザの手の平を撮影してその撮影画像を携帯電話からサーバへ送り、サーバにおいてその撮影画像に基づいて手相診断を行うシステムがある（例えば、特許文献１参照）。
【特許文献１】特開２００６−６７４８６号公報
【発明の開示】
【発明が解決しようとする課題】
【０００３】
しかしながら、端末装置単体でプロファイルを作成する構成も端末装置から送信される情報に基づいてサーバ側でプロファイルを作成する構成も、プロファイルに文字情報を入れる場合、文字入力が不慣れなユーザにとってはプロファイルの作成が難しいという問題がある。一方、手相診断は事実に基づいていないため、正確なプロファイルを作成できない。
【０００４】
そこで、本発明では、文字入力が不慣れなユーザであっても文字情報入りのプロファイルの作成を容易に行うことが可能なプロファイル作成システムを提供することを目的とする。
【課題を解決するための手段】
【０００５】
上記の課題を解決するために本発明では、以下のような構成を採用した。
すなわち、本発明のプロファイル作成システムは、端末装置とサーバとがネットワークを介して互いに情報を送受信するプロファイル作成システムであって、前記端末装置は、前記サーバから送信される撮影要求項目を受信する第１の受信手段と、前記第１の受信手段により受信される撮影要求項目を表示する表示手段と、前記表示手段に表示される撮影要求項目を見たユーザの操作により撮影を行う撮像手段と、前記撮像手段により撮影される画像を記憶する画像記憶手段と、前記画像記憶手段に記憶される画像を前記サーバへ送信する第１の送信手段とを備え、前記サーバは、前記撮影要求項目を記憶する撮影要求項目記憶手段と、前記撮影要求項目記憶手段に記憶される撮影要求項目を前記端末装置へ送信する第２の送信手段と、前記端末装置から送信される画像を受信する第２の受信手段と、前記第２の受信手段により受信される画像を解析し、その解析結果である文字情報を出力する画像解析手段と、前記画像解析手段から出力される文字情報に基づいて、前記ユーザのプロファイルを作成するプロファイル作成手段とを備える。
【０００６】
また、前記サーバは、前記撮影要求項目に関連する複数種類の画像とそれら画像をそれぞれ説明する各文字情報が記録されるデータベースを備え、前記画像解析手段は、前記第２の受信手段により受信される画像に類似する画像を前記データベースに記録される各画像から選択し、その選択した画像を説明する文字情報を出力するように構成してもよい。
【０００７】
また、前記サーバは、前記ユーザの行動を示すスケジュールに基づいて前記撮影要求項目を作成するように構成してもよい。
また、前記撮影要求項目は、前記ユーザの性別を識別するための画像を前記ユーザに撮影させる要求を示してもよい。
【０００８】
また、前記撮影要求項目は、前記ユーザの好きなスポーツを識別するための画像を前記ユーザに撮影させる要求を示してもよい。
また、本発明のサーバは、端末装置とネットワークを介して情報を送受信するサーバであって、撮影要求項目を記憶する撮影要求項目記憶手段と、前記撮影要求項目記憶手段に記憶される撮影要求項目を前記端末装置へ送信する送信手段と、前記撮影要求項目を見たユーザにより撮影された画像を前記端末装置から受信する受信手段と、前記受信手段により受信される画像を解析し、その解析結果である文字情報を出力する画像解析手段と、前記画像解析手段から出力される文字情報に基づいて、前記ユーザのプロファイルを作成するプロファイル作成手段とを備える。
【０００９】
また、本発明のプログラムは、端末装置を利用するユーザのプロファイルを作成するためにコンピュータを、撮影要求項目を記憶する撮影要求項目記憶手段、前記撮影要求項目記憶手段により記憶される撮影要求項目を前記端末装置へ送信する送信手段、前記撮影要求項目を見たユーザにより撮影された画像を前記端末装置から受信する受信手段、前記受信手段により受信される画像を解析し、その解析結果である文字情報を出力する画像解析手段、前記画像解析手段から出力される文字情報に基づいて、前記ユーザのプロファイルを作成するプロファイル作成手段として機能させる。
【発明の効果】
【００１０】
本発明によれば、文字入力が不慣れなユーザであっても文字情報入りのプロファイルの作成を容易に行うことができる。
【発明を実施するための最良の形態】
【００１１】
以下、図面を用いて本発明の実施形態を説明する。
図１は、本発明の実施形態のプロファイル作成システムを示す図である。
図１に示すプロファイル作成システム１は、端末装置２（例えば、カメラ付き携帯電話など）と、サーバ３とを備え、端末装置２及びサーバ３はネットワークを介して互いに情報を送受信する。
【００１２】
端末装置２は、撮像部４と、画像記憶部５と、送受信部６（第１の送信手段、第１の受信手段）と、表示部７とを備えて構成されている。
撮像部４は、レンズや撮像素子などにより構成され、ユーザの操作などにより撮影を行う。
【００１３】
画像記憶部５は、撮像部４により撮影される画像を記憶する。
送受信部６は、サーバ３から送信される撮影要求項目を受信すると共に、画像記憶部５に記憶される画像をサーバ３へ送信する。
【００１４】
表示部７は、送受信部６により受信される撮影要求項目や撮像部４により撮影される画像を表示する。
サーバ３は、撮影要求項目記憶部８と、送受信部９（第２の送信手段、第２の受信手段、送信手段、受信手段）と、画像解析部１０と、プロファイル作成部１１とを備えて構成されている。
【００１５】
撮影要求項目記憶部８は、プロファイルを作成するために必要な画像をユーザに撮影させる要求を示す複数の撮影要求項目で構成される撮影要求項目リストを記憶する。本実施形態で作成されるプロファイルとしては、例えば、適性試験の回答、自己紹介カード、または履歴書などが考えられる。
【００１６】
送受信部９は、撮影要求項目記憶部８に記憶されている撮影要求項目リスト内の所定の撮影要求項目を端末装置２へ送信すると共に、端末装置２から送信される画像を受信する。
【００１７】
画像解析部１０は、送受信部９で受信される画像を解析する。
プロファイル作成部１１は、画像解析部１０の解析結果に基づいて端末装置２を利用しているユーザのプロファイルを作成する。
【００１８】
図２は、プロファイル作成システム１の動作のフローチャートを示す図である。
まず、端末装置２は、サーバ３にアクセスし（ステップＳ１）、プロファイルを作成したい旨のプロファイル作成要求をサーバ３へ送信する（ステップＳ２）。
【００１９】
次に、サーバ３は、端末装置２から送信されるプロファイル作成要求を受信すると（ステップＳ３）、撮影要求項目記憶部８に記憶される撮影要求項目リストから所定の撮影要求項目を読み出し（ステップＳ４）、その読み出した撮影要求項目を端末装置２へ送信する（ステップＳ５）。
【００２０】
図３は、撮影要求項目リストの一例を示す図である。
図３に示す撮影要求項目リストは、「１．自分の顔の写真を撮ってください。」、「２．好きな動物の写真を撮ってください。」、「３．好きなスポーツの写真を撮ってください。」、及び「４．好きな花の写真を撮ってください。」の４つの撮影要求項目で構成されている。なお、撮影要求項目リスト内の撮影要求項目は、「好きな映画の写真を撮ってください。」など図３に示す各撮影要求項目に限定されない。
【００２１】
次に、図２のフローチャートにおいて、端末装置２は、サーバ３から送信される撮影要求項目を受信し（ステップＳ６）、その撮影要求項目に従ってユーザが撮影した画像をサーバ３へ送信する（ステップＳ７）。例えば、図３に示す「１．自分の顔の写真を撮ってください」という撮影要求項目が端末装置２の表示部７に表示されると、ユーザは自分の顔を端末装置２で撮影し、その撮影した画像をサーバ３へ送信する。
【００２２】
次に、サーバ３は、端末装置２から送信される画像を受信し（ステップＳ８）、その受信した画像を解析し（ステップＳ９）、その解析結果をプロファイルに追加する（ステップＳ１０）。例えば、サーバ３は、受信した画像の解析結果である「男性」という文字情報をそのユーザのプロファイルに追加する。また、サーバ３は、端末装置２へ送信すべき撮影要求項目が最後であるか否かを判断し（ステップＳ１１）、最後でないと判断したとき（ステップＳ１１がＮｏ）、ステップＳ４まで戻って次の撮影要求項目を読み出し、その読み出した撮影要求項目を端末装置２へ送信する。一方、最後であると判断したとき（ステップＳ１１がＹｅｓ）、サーバ３は、送信すべき撮影要求項目がない旨の終了情報を端末装置２へ送信し（ステップＳ１２）、終了する。
【００２３】
また、端末装置２は、サーバ３から送信される終了情報を受信したか否かを判断し（ステップＳ１３）、終了情報を受信していないと判断したとき（ステップＳ１３がＮｏ）、ステップＳ６まで戻りサーバ３から送信される次の撮影要求項目を受信する。一方、端末装置２は、終了情報を受信したと判断したとき（ステップＳ１３がＹｅｓ）、終了する。
【００２４】
例えば、本実施形態のプロファイル作成システム１を利用してウェブログを作成する場合について説明する。
（１）端末装置２は、サーバ３へプロファイル作成要求と共に、ユーザの今日一日のスケジュールを示す情報を送信する。
（２）サーバ３は、端末装置２から送信されるプロファイル作成要求を受信すると、端末装置２から送信されるスケジュールを示す情報に基づいて今日一日分の撮影要求項目を作成し、それら撮影要求項目を順次端末装置２へ送信する。
（４）端末装置２は、サーバ３から送信される撮影要求項目に従ってユーザにより撮影された画像をサーバ３へ送信する。
（５）サーバ３は、端末装置２から送信される画像を解析して文字情報を作成し、端末装置２から送信された画像と、作成した文字情報とをユーザのウェブログに追加する。
（６）全ての撮影要求項目がサーバ３から端末装置２へ送信されるまで、上記（２）〜（５）の動作が繰り返される。
【００２５】
本実施形態のプロファイル作成システム１によれば、文字入力を行うことなくプロファイルの作成に必要な文字情報を得ることができ、その文字情報を使用してプロファイルを作成することができる。そのため、文字入力が不慣れなユーザであっても文字情報入りのプロファイルの作成を容易に行うことができる。
【００２６】
なお、上記実施形態では、サーバ３から端末装置２へ撮影要求項目リスト内の複数の撮影要求項目を順次１つずつ送信する構成であるが、サーバ３から端末装置２へ撮影要求項目リスト内の全ての撮影要求項目、すなわち、撮影要求項目リストごと送信してもよい。
【００２７】
図４は、サーバ３から端末装置２へ撮影要求項目リストを送信する場合のプロファイル作成システム１の動作のフローチャートを示す図である。
まず、端末装置２は、サーバ３にアクセスし（ステップＳＴ１）、プロファイルを作成したい旨のプロファイル作成要求をサーバ３へ送信する（ステップＳＴ２）。
【００２８】
次に、サーバ３は、端末装置２から送信されるプロファイル作成要求を受信すると（ステップＳＴ３）、撮影要求項目記憶部８に記憶される撮影要求項目リストを端末装置２へ送信する（ステップＳＴ４）。
【００２９】
次に、端末装置２は、サーバ３から送信される撮影要求項目リストを受信し（ステップＳＴ５）、その撮影要求項目リスト内の所定の撮影要求項目と、その所定の撮影要求項目に従ってユーザにより撮影された画像、すなわち、所定の撮影要求項目に関連する画像をサーバ３へ送信する（ステップＳＴ６）。
【００３０】
次に、サーバ３は、端末装置２から送信される撮影要求項目及びその撮影要求項目に関連する画像を受信し（ステップＳＴ７）、その受信した画像を解析し（ステップＳＴ８）、その解析結果をプロファイルに追加する（ステップＳＴ９）。また、サーバ３は、端末装置２から送信される画像が最後であるか否かを判断し（ステップＳＴ１０）、最後でないと判断したとき（ステップＳＴ１０がＮｏ）、ステップＳＴ７まで戻って次の画像を受信する。一方、最後であると判断したとき（ステップＳＴ１０がＹｅｓ）、サーバ３は、全ての画像を受信した旨の終了情報を端末装置２へ送信し（ステップＳＴ１１）、終了する。
【００３１】
また、端末装置２は、サーバ３から送信される終了情報を受信したか否かを判断し（ステップＳＴ１２）、終了情報を受信していないと判断したとき（ステップＳＴ１２がＮｏ）、ステップＳＴ６まで戻り次の撮影要求項目と、その撮影要求項目に従ってユーザにより撮影された画像をサーバ３へ送信する。一方、端末装置２は、終了情報を受信したと判断したとき（ステップＳＴ１２がＹｅｓ）、終了する。
【００３２】
このように構成しても、上述のプロファイル作成システム１と同様に、文字入力を行うことなくプロファイルの作成に必要な文字情報を得ることができ、その文字情報を使用してプロファイルを作成することができる。そのため、文字入力が不慣れなユーザであっても文字情報入りのプロファイルの作成を容易に行うことができる。
【００３３】
図５は、本発明の他の実施形態のプロファイル作成システムを示す図である。なお、図１に示す構成と同じ構成には同じ符号を付している。
図５に示すプロファイル作成システム１２において、図１に示すプロファイル作成システム１と異なる点は、サーバ３が撮影要求項目記憶部８、送受信部９、画像解析部１０、及びプロファイル作成部１１の他に、性別識別ＤＢ（Ｄａｔａ  Ｂａｓｅ）１３、動物識別ＤＢ１４、スポーツ識別ＤＢ１５、及び花識別ＤＢ１６を備えて構成されている点である。
【００３４】
図５に示すプロファイル作成システム１２の動作について説明する。なお、撮影要求項目記憶部８に図３に示す撮影要求項目リストが記憶されているものとする。
例えば、まず、図３に示す「１．自分の顔の写真を撮ってください。」という撮影要求項目がサーバ３から端末装置２へ送信されると、ユーザは、自分の顔を撮影しその撮影した画像を端末装置２からサーバ３へ送信する。そして、そのユーザの顔の画像が端末装置２からサーバ３へ送信されると、サーバ３の画像解析部１０は、端末装置２から送信された画像が性別識別ＤＢ１３に記憶される男性の特徴を示す情報または女性の特徴を示す情報のどちらの情報に似ているかを識別し、その識別結果である男性を示す文字情報（例えば、男性や男など）または女性を示す文字情報（例えば、女性や女など）をユーザの顔を示す画像と共にプロファイルに追加する。
【００３５】
次に、図３に示す「２．好きな動物の写真を撮ってください。」という撮影要求項目がサーバ３から端末装置２へ送信されると、ユーザは、自分の好きな動物を撮影しその撮影した画像を端末装置２からサーバ３へ送信する。そして、その動物の画像が端末装置２からサーバ３へ送信されると、サーバ３の画像解析部１０は、端末装置２から送信された画像が動物識別ＤＢ１４に記憶される複数種類の動物を示す各情報のうちどの情報に似ているかを識別し、その識別結果である最も似ている情報に対応する動物を示す文字情報（例えば、ライオンやキリンなど）を端末装置２から送信された画像と共にプロファイルに追加する。
【００３６】
次に、図３に示す「３．好きなスポーツの写真を撮ってください。」という撮影要求項目がサーバ３から端末装置２へ送信されると、ユーザは、自分の好きなスポーツを撮影しその撮影した画像を端末装置２からサーバ３へ送信する。そして、そのスポーツの画像が端末装置２からサーバ３へ送信されると、サーバ３の画像解析部１０は、端末装置２から送信された画像がスポーツ識別ＤＢ１５に記憶される複数種類のスポーツを示す各情報のうちどの情報に似ているかを識別し、その識別結果である最も似ている情報に対応するスポーツを示す文字情報（例えば、野球やサッカーなど）を端末装置２から送信された画像と共にプロファイルに追加する。
【００３７】
そして、図３に示す「４．好きな花の写真を撮ってください。」という撮影要求項目がサーバ３から端末装置２へ送信されると、ユーザは、自分の好きな花を撮影しその撮影した画像を端末装置２からサーバ３へ送信する。そして、その花の画像が端末装置２からサーバ３へ送信されると、サーバ３の画像解析部１０は、端末装置２から送信された画像が花識別ＤＢ１６に記憶される複数種類の花を示す各情報のうちのどの情報に似ているかを識別し、その識別結果である最も似ている情報に対する花を示す文字情報（例えば、バラやチューリップなど）を端末装置２から送信された画像と共にプロファイルに追加し、プロファイルの作成を終了する。
【００３８】
このように構成しても、上述のプロファイル作成システム１と同様に、文字入力を行うことなくプロファイルの作成に必要な文字情報を得ることができ、その文字情報を使用してプロファイルを作成することができる。そのため、文字入力が不慣れなユーザであっても文字情報入りのプロファイルの作成を容易に行うことができる。
【００３９】
また、画像解析部１０は、端末装置２から送信される画像とデータベース内の情報との比較結果に基づいて文字情報を出力する構成であるため、図１に示す画像解析部１０に比べて、文字情報を得るための処理を簡単にすることができる。
【００４０】
また、上記実施形態のプロファイル作成システム１、１２は、ＣＰＵがプログラムやデータを主記憶装置にロードし実行することなどにより、プログラムとしてソフトウエア的に実現させてもよい。
【００４１】
また、上記実施形態では、端末装置２から送信される画像とデータベース内の情報とを比較してその類似度により文字情報を得る構成であるが、紙などに書いた文字を端末装置２により撮影し、その撮影画像をサーバ３へ送信し、サーバ３側でその画像の文字認識を行い、文字情報を得るように構成してもよい。
【図面の簡単な説明】
【００４２】
【図１】本発明の実施形態のプロファイル作成システムを示す図である。
【図２】プロファイル作成システムの動作のフローチャートを示す図である。
【図３】撮影要求項目リストの一例を示す図である。
【図４】プロファイル作成システムの他の動作のフローチャートを示す図である。
【図５】本発明の他の実施形態のプロファイル作成システムを示す図である。
【符号の説明】
【００４３】
１  プロファイル作成システム
２  端末装置
３  サーバ
４  撮像部
５  画像記憶部
６  送受信部
７  表示部
８  撮影要求項目記憶部
９  送受信部
１０  画像解析部
１１  プロファイル作成部
１２  プロファイル作成システム
１３  性別識別ＤＢ
１４  動物識別ＤＢ
１５  スポーツ識別ＤＢ
１６  花識別ＤＢ
【図１】
2008257361.tif 000003
【図２】
2008257361.tif 000004
【図３】
2008257361.tif 000005
【図４】
2008257361.tif 000006
【図５】
2008257361.tif 000007